(57)【要約】【課題】取り札をお手付きした場合であっても、該取り札がどの読み札に対応するものであるか分かりにくい連想カルタを提供する。【解決手段】連想カルタ１０は、読み札２０と取り札３０から構成されている。前記読み札２０の表面２２Ａには、５０音中の１音に対応する文章２４と、該文章２４の内容と関連しない識別番号２６が設けられている。前記取り札３０の表面３２Ａには、前記文章２４に関連する絵３４と、前記文章２４及び絵３４のいずれとも関連しない識別番号３６が設けられている。前記読み札２０と取り札３０の識別番号２６及び３６を照合し、これらが共通していれば、読み札２０と取り札３０が対応していることが確認される。前記取り札３０をお手付きした場合であっても、前記識別番号３６から対応する読み札２０を推察することができないため、連想ゲーム本来の遊び方で楽しむことができる。【選択図】図１
2008023272.tif 000002
【特許請求の範囲】
【請求項１】
表面に文章が記載された読み札と、前記文章に対応する内容の絵が表面に設けられた取り札からなる連想カルタであって、
前記読み札及び取り札に、前記文章及び絵と関連しない共通の識別子を設けたことを特徴とする連想カルタ。
【請求項２】
前記識別子が、カルタ以外の用途に用いられる数字，記号，文字，図形，絵のいずれか，あるいは、それらの組み合わせであることを特徴とする請求項１記載の連想カルタ。
【請求項３】
前記読み札に、前記文章及び絵と関連するヒント文を設けたことを特徴とする請求項１又は２記載の連想カルタ。
【発明の詳細な説明】
【技術分野】
【０００１】
本発明は、読み札と取り札からなる連想カルタに関し、更に具体的には、お手付きされた取り札が、どの読み札に対応するものであるかを判別し難い連想カルタに関するものである。
【背景技術】
【０００２】
カルタ遊びは、一般的に広く普及している遊びであり、様々な種類のものがある。その中で、読み札と取り札（拾い札）のセットからなる「いろはガルタ」は、読み札・取り札ともに、５０音に対応しており、１音につき１セットの読み札と取り札が用意されている。前記読み札には、ことわざや短文が書かれており、取り札には、前記読み札の短文の内容に対応する絵と、読み札のフレーズの最初の音がひらがなで目立つように書いてあり、読み札を読むのに合わせて取り札を取り合う。このようなカルタとしては、例えば、以下の特許文献１に記載のカルタがある。また、前記取り札の表面に、読み札のフレーズの最初の音を書かずに、裏面に正解の音を書くことによって、従来よりもゲームの難易度を上げるようにしたカルタもある。
【特許文献１】登録実用新案第３０３７６９３号公報
【発明の開示】
【発明が解決しようとする課題】
【０００３】
しかしながら、取り札の表面に読み札のフレーズの最初の音を書かずに、裏面に正解の音を書くようにしたカルタでは、取り札の正誤を確認するためには、取り札の裏面を見なければならない。このため、お手付きが生じた場合には、お手付きした本人のみならず、周囲にもその取り札が対応する読み札が分かってしまい、読み札と取り札の内容のみから取り札を判断するというゲーム本来の意味が失われてしまうというおそれがある。更に、前記カルタは、通常、５０音に対応して用意されるため、読み札と取り札を合わせると１００枚近いカードが存在することになるが、裏面に正解の音を記載しておかなくてはならないため、カルタ以外の用途に使用することができないという不都合もある。
【０００４】
本発明は、以上の点に着目したもので、その目的は、取り札をお手付きした場合であっても、該取り札がどの読み札に対応するものであるかを判別し難い連想カルタを提供することである。他の目的は、カルタ遊び以外にも利用することができる連想カルタを提供することである。
【課題を解決するための手段】
【０００５】
前記目的を達成するため、本発明は、表面に文章が記載された読み札と、前記文章に対応する内容の絵が表面に設けられた取り札からなる連想カルタであって、前記読み札及び取り札に、前記文章及び絵と関連しない共通の識別子を設けたことを特徴とする。主要な形態の一つは、前記識別子が、カルタ以外の用途に用いられる数字，記号，文字，図形，絵のいずれか，あるいは、それらの組み合わせであることを特徴とする。他の形態は、前記読み札に、前記文章及び絵と関連するヒント文を設けたことを特徴とする。本発明の前記及び他の目的，特徴，利点は、以下の詳細な説明及び添付図面から明瞭になろう。
【発明の効果】
【０００６】
本発明は、表面に文章が記載された読み札と、前記文章に対応する内容の絵が表面に設けられた取り札からなる連想カルタにおいて、前記読み札及び取り札に、前記文章及び絵と関連しない共通の識別子を設けることで、取り札をお手付きした場合であっても、該取り札がどの読み札に対応するものであるかを判別し難くなるという効果が得られる。また、前記読み札及び取り札に、任意の識別子を設けることで、カルタ遊び以外の用途にも利用することができる。
【発明を実施するための最良の形態】
【０００７】
以下、本発明を実施するための最良の形態を、実施例に基づいて詳細に説明する。
【実施例１】
【０００８】
最初に、図１(A)及び(B)を参照しながら、本発明の実施例１を説明する。図１(A)は本実施例の連想カルタの読み札と取り札を示す平面図，図１(B)は本実施例の読み札の変形例を示す図である。図１(A)及び(B)に示すように、本実施例の連想カルタ１０は、いわゆる「いろはガルタ」であって、５０音に対応して読み札２０と取り札３０が一組ずつ用意されている。前記読み札２０は、表面２２Ａに文章２４と識別番号２６が設けられている。前記文章２４は、図示の例では、「お」の音に対応する「おばあちゃん  どうして  くちがおおきいの？」となっている。また、識別番号２６は、前記文章２４の内容と関連のない数字「３４」となっている。
【０００９】
一方、前記取り札３０は、表面３２Ａに、前記取り札２０の文章２４の内容に対応する絵３４が設けられるとともに、前記文章２４及び絵３４の内容と関連しない識別番号３６が設けられている。該識別番号３６は、読み札２０の識別番号２６と同じ「３４」となっている。以上のような読み札２０と取り札３０が、５０音のそれぞれに対応した文章と、該文章に対応する絵と、前記文書及び絵に関連しない識別番号により、構成されている。前記読み札２０及び取り札３０は、厚紙やプラスチックなど、公知の各種の材料により構成されている。
【００１０】
次に、本実施例の作用を説明する。連想カルタ１０を用いて遊ぶときは、多数の取り札３０を、表面３２Ａを表に向けて床などに並べておく。そして、読み手が読み札２０の文章２４を読み、それに対応する取り札３０を探してとる。そして、読み札２０の識別番号２６と、取り札３０の識別番号３６を照合して、前記取り札３０が読み札２０に対応するものであるか正誤の判断を行う。仮に、お手付きをした場合であっても、前記取り札３０の識別番号３６は、前記文章２４及び絵３４のいずれとも関連していないため、該識別番号３６から対応する読み札２０を推察することができない。従って、読み札２０と取り札３０の内容のみから取り札３０を判断するという連想ゲーム本来の遊び方が失われることがない。
【００１１】
このように、本実施例によれは、読み札２０の表面２２Ａと、取り札３０の表面３２Ａに、前記読み札２０の文章２４や取り札３０の絵３４と関連せず、かつ、読み札２０と取り札３０に共通した識別番号２６及び３６を設けることとしたので、お手付きした場合であっても、お手付きされた取り札３０に対応する読み札２０が推察し難いという効果がある。また、取り札３０に前記文章２４に対応する文字が書かれていないため、ゲームの難易度を上げることができる。
【００１２】
なお、図１(B)に示す読み札２０Ａのように、表面２２Ａに、前記文章２４及び識別番号２６のほか、ヒント文２８を設けるようにしてもよい。該ヒント文２８は、前記文章２４を読んだだけでは対応する取り札３０を取る人がいないときに使用されるものであって、図示の例では、「ベッドに寝ているおばあさんを見て不思議に思うあかずきんちゃん。」というように、前記絵３４の状況を説明する内容となっている。このように、ヒント文２８を設けることにより、ゲームの難易度が高い場合であっても、前記ヒント文２８を元にしてゲームを進めることができる。
【実施例２】
【００１３】
次に、図２(A)及び(B)を参照しながら、本発明の実施例２を説明する。なお、上述した実施例１と同一ないし対応する構成要素には同一の符号を用いることとする。本実施例は、カルタ遊び以外の用途に用いることができる連想カルタの例である。まず、図２(A)に示す連想カルタ５０は、読み札２０Ｂと取り札３０Ｂにより構成されており、前記読み札２０Ｂの表面２２Ａには文章２４と、該表面２２Ａをトランプのスペードの２に見立てたマーク３８及び数字４０が設けられている。一方、前記取り札３０Ｂの表面３２Ａには絵３４と、トランプのマーク４２及び数字４４が設けられている。むろん、前記読み札２０Ｂの表面２２Ａに、前記実施例１と同様のヒント文２８を必要に応じて設けるようにしてもよい。
【００１４】
このように、読み札２０Ｂの表面２２Ａと、取り札３０Ｂの表面３２Ａに、共通のマーク３８，４２及び数字４０，４４を設けることにより、読み札２０Ｂと取り札３０Ｂの対応の正誤を判断することができる。また、連想カルタとしてのみならず、トランプ遊びに利用することができる。なお、通常、「いろはガルタ」の場合は、５０音中の４５音が用いられることが多いが、トランプは、４つのマーク各１３枚にジョーカー１枚又は２枚を加えた５３枚又は５４枚を必要とする。このため、足りない分に関しては、別途トランプ用のカードを数枚ずつ用意することにより、読み札と取り札に対応した２セットのトランプが得られる。あるいは、図２(B)に示す変形例の連想カルタ５０Ａのように、読み札２０Ｃの裏面２２Ｂにトランプのマーク３８と数字４０を設け、取り札３０Ｃの裏面３２Ｂに、トランプのマーク４２と数字４４を設けて、これらの裏面をトランプとして利用できるようにしてもよい。
【００１５】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法，材質は一例であり、必要に応じて適宜変更してよい。
(2)前記実施例１で示した識別番号２６及び３６も一例であり、前記文章２４や絵３４に関連しないものであれば、数字のほか、各種文字，記号，マークや、それらの組み合わせなどを識別子として用いてよい。また、これら識別子を色分けするようにしてもよい。
【００１６】
(3)前記実施例１では読み札２０の表面２２Ａ及び取り札３０の表面３２Ａに、識別番号２６及び３６を設けることとしたが、これも一例であり、両方又はいずれか一方を裏面に設けることを妨げるものではない。
(4)前記実施例１のヒント文２８も一例であり、必要に応じて設けるようにしてよい。
(5)前記実施例１の遊び方も一例であり、必要に応じて適宜変更してよい。例えば、正解の取り札３０を一枚取得する毎に１ポイントを付与し、お手付きしたときには、取得済みのポイントからお手付き分のポイント（例えば、お手付き一回につき１ポイント）を差し引くようにするなどである。
【００１７】
(6)前記実施例２では、連想カルタ５０及び５０Ａの表面や裏面をトランプとして利用可能としたが、これも一例でありトランプ以外の用途に利用できる構成としてもよい。例えば、図２(C)に示す連想カルタ５０Ｂのように、読み札２０Ｄや２０Ｅの裏面２２Ｂに、ＥＳＰカードとして利用可能なマーク５２や６０を設け、取り札３０Ｄの裏面３２Ｂにもマーク５６を設けて、読み札２０Ｄ又は２０Ｅと取り札３０Ｄの対応を判断するようにしてよい。なお、前記ＥＳＰカードには５種類のマークがあるが、５種類しか読み札と取り札を対応付けられないとカルタ遊びの難易度が低くなってしまうため、図示のように前記マーク５２，５６，６０のほかに、数字５４，５８，６２を設けるようにするとよい。すなわち、５種類のマークのそれぞれに対して１〜９又は１〜１０までの数字を振ることにより、４５種類ないし５０種類の区別を付けることが可能となる。このほか、タロットカードや花札など、ゲームや他の目的に用いられるカードとして利用できるように、読み札と取り札のそれぞれに任意の文字や記号，数字，マーク，絵，それらの組み合わせなどを設けるようにしてよい。むろん、これらの識別子を設けるのは読み札及び取り札の表面であってもよいし、裏面であってもよい。また、あるいは、表面にトランプの数字とマークを設け、裏面にＥＳＰカード用のマークを設けるようにするなど、表裏両面にカルタ遊び以外の用途に利用可能な識別子を設けるようにしてもよい。
【００１８】
(7)前記実施例では、本発明を「いろはガルタ」に適用することとしたが、これも一例であり、必ずしも５０音に対応させる必要はなく、札数は適宜増減してよい。また、本発明は、読み札と取り札からなる連想カルタ全般に適用可能である。
【産業上の利用可能性】
【００１９】
本発明によれば、表面に文章が記載された読み札と前記文章に対応する内容の絵が表面に設けられた取り札に、前記文章及び絵と関連しない共通の識別子を設け、取り札をお手付きした場合であっても、該取り札がどの読み札に対応するものであるかを判別し難くしたため、連想カルタの用途に適用できる。特に、前記読み札及び取り札に、任意の識別子を設けることで、連想カルタと同時に他の用途にも適用できる。
【図面の簡単な説明】
【００２０】
【図１】本発明の実施例１を示す図であり、(A)は本実施例の読み札と取り札を示す図，(B)は前記読み札の変形例を示す図である。
【図２】本発明の実施例２を示す図であり、(A)は本実施例の読み札と取り札を示す図，(B)及び(C)は変形例の読み札と取り札を示す図である。
【符号の説明】
【００２１】
１０：連想カルタ
２０，２０Ａ〜２０Ｅ：読み札
２２Ａ：表面
２２Ｂ：裏面
２４：文章
２６，３６：識別番号
２８：ヒント文
３０，３０Ｂ〜３０Ｄ：取り札
３２Ａ：表面
３２Ｂ：裏面
３４：絵
３８，４２，５２，５６，６０：マーク
４０，４４，５４，５８，６２：数字
５０，５０Ａ，５０Ｂ：連想カルタ
【図１】
2008023272.tif 000003
【図２】
2008023272.tif 000004